(57)【要約】  【課題】ユーザーが誤って特殊モードで電子機器を起動するおそれを低下する。  【解決手段】電子機器は、電子機器の起動時に、電源スイッチとタッチパネルの第一所定領域とが第一所定時間押された場合に、仮モードに移行する処理を行い、仮モード中に、電源スイッチとタッチパネル対する所定操作がされた場合に、特殊モードに移行する処理を行う。【選択図】図４
2012084047.tif 000002
【特許請求の範囲】
【請求項１】
電源スイッチとタッチパネルとを備える電子機器であって、
通常モード及び特殊モードのいずれかで動作し、
前記電子機器の起動時に、前記電源スイッチと前記タッチパネルの第一所定領域とが第
一所定時間押された場合に、仮モードに移行する処理を行い、前記仮モード中に、前記電
源スイッチと前記タッチパネル対する所定操作がされた場合に、前記特殊モードに移行す
る処理を行う制御手段、を備える、
ことを特徴とする電子機器。
【請求項２】
請求項１に記載の電子機器であって、
前記制御手段は、前記仮モードに移行してから第二所定時間の間に前記所定操作がされ
た場合、前記特殊モードに移行する処理を行う、
ことを特徴とする電子機器。
【請求項３】
請求項２に記載の電子機器であって、
前記制御手段は、前記仮モードに移行してから第二所定時間の間に、前記所定操作以外
の操作がされた場合、又は操作が何もされなかった場合に、前記通常モードに移行する処
理を行う、
ことを特徴とする電子機器。
【請求項４】
請求項１〜３いずれか一項に記載の電子機器であって、
前記所定操作は、前記電源スイッチと前記タッチパネルの第二所定領域とが第三所定時
間押される操作である、
ことを特徴とする電子機器。
【請求項５】
請求項４に記載の電子機器であって、
前記第一所定領域と前記第二所定領域とは、異なる領域である、
ことを特徴とする電子機器。
【請求項６】
請求項４に記載の電子機器であって、
前記第一所定領域と前記第二所定領域とは、同じ領域であり、
前記制御手段は、前記電子機器の起動時から前記仮モード中まで前記第一所定領域が継
続して押されている場合、前記第二所定領域を前記第一所定領域とは異なる領域に設定す
る、
ことを特徴とする電子機器。
【請求項７】
請求項４又は５に記載の電子機器であって、
前記第一所定領域は、前記タッチパネルと前記ディスプレイとが重ならない領域又は重
なる領域であり、
前記第二所定領域は、前記タッチパネルと前記ディスプレイとが重なる領域又は重なら
ない領域である、
ことを特徴とする電子機器。
【請求項８】
電源スイッチとタッチパネルを備え、通常モード及び特殊モードのいずれかで動作する
電子機器における動作モードの移行方法であって、
前記電子機器の起動時に、前記電源スイッチと前記タッチパネルの第一所定領域とが第
一所定時間押されたか否かを判定するステップと、
前記電源スイッチと前記タッチパネルの前記第一所定領域とが前記第一所定時間押され
た場合に、仮モードに移行するステップと、
前記仮モード中に、前記電源スイッチと前記タッチパネル対する所定操作がされたか否
かを判定するステップと、
前記電源スイッチと前記タッチパネル対する前記所定操作がされた場合に、前記特殊モ
ードに移行するステップと、を含む、
ことを特徴とする動作モードの移行方法。
【発明の詳細な説明】
【技術分野】
【０００１】
本発明は、電子機器における動作モードの移行に関し、特に、タッチパネルを備える電
子機器における動作モードの移行に関する。
【背景技術】
【０００２】
例えば、プリンター、スキャナー、コピー機、複合機、携帯端末、パーソナルコンピュ
ーターなどの電子機器において、ディスプレイやキーなどを含む操作パネルを備えるもの
が知られている（例えば、特許文献１）。また、タッチパネルを備える電子機器も知られ
ている。
【先行技術文献】
【特許文献】
【０００３】
【特許文献１】特開２００９−５３７７９号公報
【発明の概要】
【発明が解決しようとする課題】
【０００４】
タッチパネルを備える電子機器の中には、ユーザーが操作できるインターフェイスとし
て、タッチパネルと電源スイッチを備えるものがある。タッチパネルは、例えば、１点の
タッチを検出する抵抗膜方式や１以上の点のタッチを検出する静電容量方式である。電源
スイッチは、例えば、押圧された状態（長押し）を検出可能な押しボタン式スイッチであ
る。
【０００５】
また、上記のようなタッチパネル及び電源スイッチを有する電子機器には、通常の動作
モード（以下、「通常モード」ともいう。）に加え、例えば、電子機器の設定値変更や検
査処理などを行うための動作モード（以下、「特殊モード」ともいう。）を有するものが
ある。特殊モードは、例えば、電子機器のメンテナンスに使用される動作モードであり、
電子機器の通常の使用においてはユーザーに使用されない動作モードである。
【０００６】
ここで、特殊モードに移行するためには、所定の操作が必要である。例えば、電子機器
の電源を投入する際に、電源スイッチとタッチパネルの所定の領域とを長押しすることに
より、電子機器を特殊モードで起動することができる。
【０００７】
しかしながら、上記のような所定の操作は、単純な操作であるため、ユーザーが誤って
電子機器を特殊モードで起動させてしまうおそれがある。例えば、ユーザーの手がタッチ
パネルに触れていたり、ゴミなどの物体がタッチパネルに触れていたりした場合、電子機
器が特殊モードで起動してしまう。
【０００８】
そこで、本発明は、ユーザーが誤って特殊モードで電子機器を起動するおそれを低下す
ることを目的とする。
【課題を解決するための手段】
【０００９】
上記の課題を解決するための本発明の一態様は、
電源スイッチとタッチパネルとを備える電子機器であって、
通常モード及び特殊モードのいずれかで動作し、
前記電子機器の起動時に、前記電源スイッチと前記タッチパネルの第一所定領域とが第
一所定時間押された場合に、仮モードに移行する処理を行い、前記仮モード中に、前記電
源スイッチと前記タッチパネル対する所定操作がされた場合に、前記特殊モードに移行す
る処理を行う制御手段、を備える、
ことを特徴とする。
【００１０】
ここで、上記の電子機器において、
前記制御手段は、前記仮モードに移行してから第二所定時間の間に前記所定操作がされ
た場合、前記特殊モードに移行する処理を行う、
ことを特徴としていてもよい。
【００１１】
また、上記のいずれかの電子機器において、
前記制御手段は、前記仮モードに移行してから第二所定時間の間に、前記所定操作以外
の操作がされた場合、又は操作が何もされなかった場合に、前記通常モードに移行する処
理を行う、
ことを特徴としていてもよい。
【００１２】
また、上記のいずれかの電子機器において、
前記所定操作は、前記電源スイッチと前記タッチパネルの第二所定領域とが第三所定時
間押される操作である、
ことを特徴としていてもよい。
【００１３】
また、上記のいずれかの電子機器において、
前記第一所定領域と前記第二所定領域とは、異なる領域である、
ことを特徴としていてもよい。
【００１４】
また、上記のいずれかの電子機器において、
前記第一所定領域と前記第二所定領域とは、同じ領域であり、
前記制御手段は、前記電子機器の起動時から前記仮モード中まで前記第一所定領域が継
続して押されている場合、前記第二所定領域を前記第一所定領域とは異なる領域に設定す
る、
ことを特徴としていてもよい。
【００１５】
また、上記のいずれかの電子機器において、
前記第一所定領域は、前記タッチパネルと前記ディスプレイとが重ならない領域又は重
なる領域であり、
前記第二所定領域は、前記タッチパネルと前記ディスプレイとが重なる領域又は重なら
ない領域である、
ことを特徴としていてもよい。
【００１６】
上記の課題を解決するための本発明の他の態様は、
電源スイッチとタッチパネルを備え、通常モード及び特殊モードのいずれかで動作する
電子機器における動作モードの移行方法であって、
前記電子機器の起動時に、前記電源スイッチと前記タッチパネルの第一所定領域とが第
一所定時間押されたか否かを判定するステップと、
前記電源スイッチと前記タッチパネルの前記第一所定領域とが前記第一所定時間押され
た場合に、仮モードに移行するステップと、
前記仮モード中に、前記電源スイッチと前記タッチパネル対する所定操作がされたか否
かを判定するステップと、
前記電源スイッチと前記タッチパネル対する前記所定操作がされた場合に、前記特殊モ
ードに移行するステップと、を含む、
ことを特徴とする。
【図面の簡単な説明】
【００１７】
【図１】本発明の第一実施形態の一例に係るプリンターの、ハードウェアの概略構成例を示すブロック図である。
【図２】本発明の第一実施形態の一例に係るプリンターの、機能構成の一例を示すブロック図である。
【図３】本発明の第一実施形態の一例に係るプリンターの、タッチパネルの領域の一例を説明する図である。
【図４】本発明の第一実施形態の一例に係るプリンターの、起動処理の一例を示すフロー図である。
【発明を実施するための形態】
【００１８】
以下、本発明の第一実施形態の一例について、図面を参照して説明する。
【００１９】
本実施形態では、電子機器として、プリンターを例に挙げて説明する。もちろん、電子
機器は、プリンターに限られず、スキャナー、コピー機、複合機、携帯端末、パーソナル
コンピューターなどの電子機器であってもよい。
【００２０】
図１は、本発明の第一実施形態の一例に係るプリンターの、ハードウェアの概略構成例
を示すブロック図である。
【００２１】
プリンター１００は、例えば、インクジェット方式やレーザー方式のプリンターである
。プリンター１００は、コントローラー１１０と、操作パネル１２０と、印刷エンジン１
３０と、ネットワークインターフェイス（Ｉ／Ｆ）１４０とを有する。
【００２２】
コントローラー１１０は、プリンター１００の主要機能を搭載したチップ（ＳｏＣ：Sy
stem on Chip）などで構成され、プリンター１００全体の動作を制御する。
【００２３】
例えば、コントローラー１１０は、ネットワークＩ／Ｆ１４０を介して印刷データを受
信すると、当該印刷データに基づいて印刷エンジン１３０に出力する印字データを生成し
、印刷エンジン１３０を制御して印字データに基づく印刷を実行させる。また、コントロ
ーラー１１０は、操作パネル１２０を介してユーザーの指示を受け付け、印刷処理の停止
／開始、各種パラメータの変更、各種パラメータの操作パネル１２０への表示などを行う
。
【００２４】
詳細は後述するが、本実施形態では、コントローラー１１０は、操作パネル１２０に対
する所定の操作に応じた動作モード（通常モード又は特殊モード）でプリンター１００を
起動し、制御する。
【００２５】
上記のような処理を実現するために、コントローラー１１０は、ＣＰＵ（Central Proc
essing Unit）１１１と、ＲＡＭ（Random Access Memory）１１２と、ＲＯＭ（Read Only
Memory）１１３とを備える。なお、コントローラー１１０は、上記処理を専用に行うよ
うに設計されたＡＳＩＣで構成されていてもよい。
【００２６】
ＣＰＵ１１１は、各種プログラムを実行する。ＲＡＭ１１２は、印刷データや印字デー
タなどの各種データおよびプログラム等を一時的に記憶する。ＲＯＭ１１３には、プリン
ター１００を制御するための各種データ、各種プログラム等があらかじめ不揮発的に記憶
されている。
【００２７】
操作パネル１２０は、ユーザーとプリンター１００のインターフェイスとして機能する
。操作パネル１２０は、例えば、電源のオン／オフを受け付けたり、文字や画像を表示し
たり、ユーザーの操作を受け付けたりする。上記のような処理を実現するために、操作パ
ネル１２０は、電源スイッチ１２１と、タッチパネル１２２と、ディスプレイ１２３とを
備える。
【００２８】
電源スイッチ１２１は、プリンター１００の主電源のスイッチとして機能するユニット
である。電源スイッチ１２１は、例えば、押下された状態（長押し）を検出可能な押しボ
タン式スイッチである。
【００２９】
タッチパネル１２２は、ユーザーの操作を受け付けるユニットである。タッチパネル１
２２は、例えば、ディスプレイ１２３の表示面側に貼られた透過性のあるパネルである。
タッチパネル１２２は、例えば、ディスプレイ１２３に表示された画像のＸＹ座標と対応
したタッチ位置を特定し、タッチ位置を座標に変換してコントローラー１１０に出力する
。タッチパネル１２２は、例えば、１点のタッチ位置の座標を検出可能な抵抗膜方式であ
る。もちろん、方式はこれに限られず、複数点のタッチ位置の座標を検出可能な静電容量
方式などであってもよい。
【００３０】
ディスプレイ１２３は、コントローラー１１０で生成されたグラフィックス情報を表示
するユニットである。ディスプレイ１２３は、例えば、液晶ディスプレイ（Liquid Cryst
al Display）、有機ＥＬディスプレイ（Electro-Luminescence Display）などで構成され
る。
【００３１】
印刷エンジン１３０は、コントローラー１１０からの指示に基づいて、コントローラー
１１０から出力された印字データを印刷媒体に印刷する。印刷エンジン１３０は、例えば
、インクジェット方式やレーザー方式である。
【００３２】
ネットワークＩ／Ｆ１４０は、ＬＡＮなどのネットワークに接続して、パーソナルコン
ピューターなどのホストと通信するユニットである。
【００３３】
以上が、本発明の第一実施形態の一例に係るプリンターの、ハードウェアの概略構成の
一例である。ただし、この構成は、本願発明の特徴を説明するにあたって主要構成を説明
したのであって、上記の構成に限られない。また、一般的なプリンターが備える構成を排
除するものではない。
【００３４】
図２は、本発明の第一実施形態の一例に係るプリンターの、機能構成の一例を示すブロ
ック図である。
【００３５】
プリンター１００は、操作受付部２１０と、印刷制御部２２０とを有する。
【００３６】
これらの機能部は、例えば、ＣＰＵ１１１がＲＯＭ１１３からＲＡＭ１１２にロードし
た所定のプログラムを実行することにより実現される。この所定のプログラムは、予め記
ＲＯＭ１１３に格納される。もちろん、ネットワークＩ／Ｆ１４０を介してネットワーク
上からダウンロードされてインストールおよび／または更新されてもよい。また、プリン
ター１００が可搬型の記憶媒体を読み取る装置を有する場合は、当該記憶媒体から読み出
されてインストールおよび／または更新されてもよい。
【００３７】
操作受付部２１０は、操作パネル１２０に対する入力制御、操作パネル１２０に対する
表示制御を行う機能部である。
【００３８】
例えば、操作受付部２１０は、プリンター１００の電源投入時に、電源スイッチ１２１
及びタッチパネル１２２に対する操作を検出する。電源スイッチ１２１の押圧とタッチパ
ネル１２２の所定領域の押圧とを所定時間（長押しを検出するための所定時間）検出した
場合、電源スイッチ１２１の押圧が検出されなくなったのを契機に、動作モードを仮モー
ドとして、印刷制御部２２０に通知する。ここで、仮モードとは、通常モード又は特殊モ
ードに移行する前段階の動作モードである。一方、電源スイッチ１２１の押圧が、所定時
間経過する前に検出されなくなった場合、動作モードを通常モードとして、印刷制御部２
２０に通知する。
【００３９】
仮モードでプリンター１００が起動された場合、操作受付部２１０は、起動開始からの
起動時間の計測と、電源スイッチ１２１及びタッチパネル１２２に対する操作の検出とを
行う。起動時間が所定時間（ユーザが何らかの操作を行うための時間）を経過する前に、
電源スイッチ１２１の押圧とタッチパネル１２２の所定領域の押圧とを所定時間検出した
場合、電源スイッチ１２１の押圧が検出されなくなったのを契機に、動作モードを特殊モ
ードとして、印刷制御部２２０に通知する。一方、起動時間が所定時間を経過する前に上
記以外の操作を検出した場合、又は、何も操作を検出せずに起動時間が所定時間を経過し
た場合、動作モードを通常モードとして、印刷制御部２２０に通知する。
【００４０】
より具体的な操作内容の一例について、図３を参照して説明する。仮モードでプリンタ
ー１００を起動するためのタッチパネル１２２の所定領域は、例えば、図４（Ａ）に示す
ように、タッチパネル１２２の３つの領域Ａ〜Ｃのうち、ディスプレイ１２３と重ならな
い領域Ａ又はＣとすることができる。一方、仮モードから特殊モードでプリンター１００
を起動するためのタッチパネル１２２の所定領域は、図５（Ｂ）に示すように、タッチパ
ネル１２２の６つの領域１〜６のうち、ディスプレイ１２３と重なる領域３又は４とする
ことができる。もちろん、仮モードでプリンター１００を起動するためのタッチパネル１
２２の所定領域と、仮モードから特殊モードでプリンター１００を起動するためのタッチ
パネル１２２の所定領域とは、逆であってもよい。
【００４１】
このように、仮モードでプリンター１００を起動するためのタッチパネル１２２の所定
領域と、仮モードから特殊モードでプリンター１００を起動するためのタッチパネル１２
２の所定領域とを異ならせることにより、プリンター１００が誤って特殊モードで起動さ
れにくくすることができる。
【００４２】
もちろん、仮モードでプリンター１００を起動するためのタッチパネル１２２の所定領
域と、仮モードから特殊モードでプリンター１００を起動するためのタッチパネル１２２
の所定領域とは、同じであってもよい。ここで、操作受付部２１０は、仮モードで起動さ
れる前から継続的にタッチパネル１２２の所定領域が押圧されているか否かを判定し、継
続的に当該所定領域が押圧されている場合、仮モードから特殊モードでプリンター１００
を起動するためのタッチパネル１２２の所定領域を他の領域に変更して設定するようにし
てもよい。このようにすれば、プリンター１００が誤って特殊モードで起動されにくくす
ることができる。
【００４３】
なお、上述した仮モードでプリンター１００を起動するための操作内容、及び仮モード
から特殊モードでプリンター１００を起動するための操作内容は、一例であり、上記に限
られない。
【００４４】
例えば、タッチパネル１２２の押圧の位置ではなく、押圧箇所の数を用いるようにして
もよい。具体的には、仮モードでプリンター１００を起動するためのタッチパネル１２２
の押圧箇所の数を１つ、仮モードから特殊モードでプリンター１００を起動するためのタ
ッチパネル１２２の押圧箇所の数を２つ、のようにである。また、例えば、押圧箇所の数
と押圧箇所の位置を組み合わせるようにしてもよい。具体的には、仮モードでプリンター
１００を起動するためのタッチパネル１２２の所定領域の押圧を１つ、仮モードから特殊
モードでプリンター１００を起動するためのタッチパネル１２２の第一所定領域の押圧を
１つ、第二所定領域の押圧を１つ、のようにである。
【００４５】
また、例えば、仮モードから特殊モードでプリンター１００を起動するための操作内容
は、より単純化して、電源スイッチ１２１の所定時間の押圧としたり、タッチパネル１２
２の所定領域の所定時間の押圧としたりしてもよい。
【００４６】
図２に戻って説明を続ける。
【００４７】
印刷制御部２２０は、プリンター１００の起動制御、起動後の動作モードに応じたプリ
ンター１００の制御を行う機能部である。
【００４８】
例えば、印刷制御部２２０は、プリンター１００の起動時に操作受付部２１０から仮モ
ードの通知を受けた場合、プリンター１００を仮モードで起動し、次の動作モードの通知
を待つ。この場合、仮モードであること示す情報をディスプレイ１２３に表示するように
操作受付部２１０に指示するようにしてもよい。また、印刷制御部２２０は、操作受付部
２１０から特殊モードの通知を受けた場合、プリンター１００を特殊モードで起動する。
この場合、印刷制御部２２０は、特殊モードにおいて受け付けるメニュー項目をディスプ
レイ１２３に表示するように操作受付部２１０に指示してもよい。また、印刷制御部２２
０は、操作受付部２１０から通常モードの通知を受けた場合、プリンター１００を通常モ
ードで起動する。
【００４９】
以上の各構成要素は、プリンター１００の構成を理解容易にするために、主な処理内容
に応じて分類したものである。構成要素の分類の仕方や名称によって、本願発明が制限さ
れることはない。プリンター１００の構成は、処理内容に応じて、さらに多くの構成要素
に分類することもできる。また、１つの構成要素がさらに多くの処理を実行するように分
類することもできる。また、各構成要素の処理は、１つのハードウェアで実行されてもよ
いし、複数のハードウェアで実行されてもよい。
【００５０】
次に、上記のプリンター１００により実現される特徴的な処理について説明する。
【００５１】
図４は、本発明の第一実施形態の一例に係るプリンターの、起動処理の一例を示すフロ
ー図である。本フローは、例えば、プリンター１００の電源がオフの状態で、電源スイッ
チ１２１が押圧された場合に開始される。
【００５２】
Ｓ１０では、操作受付部２１０は、第一の操作があったか否かを判定する。具体的には
、操作受付部２１０は、電源スイッチ１２１の押圧とタッチパネル１２２の所定領域の押
圧とが所定時間以上されたかを監視する。電源スイッチ１２１の押圧とタッチパネル１２
２の所定領域の押圧とが所定時間以上検出された場合（Ｓ１０：Ｙｅｓ）、電源スイッチ
１２１の押圧が検出されなくなったのを契機に、処理をＳ２０へ進める。一方、電源スイ
ッチ１２１の押圧が所定時間未満であった場合（Ｓ１０：Ｎｏ）、処理をＳ６０へ進める
。
【００５３】
Ｓ２０では、操作受付部２１０は、仮モードに移行し、仮モードを印刷制御部２２０に
通知し、処理をＳ３０へ進める。なお、印刷制御部２２０は、仮モードに応じた起動処理
を実行する。
【００５４】
Ｓ３０では、操作受付部２１０は、仮モードに移行してから所定時間内にユーザーの操
作を検出したか否かを判定する。ここでの操作は、後述する第二の操作や、単なるタッチ
パネルのタッチなどを含む。所定時間内に操作を検出できなかった場合（Ｓ３０：Ｎｏ）
、処理をＳ６０に進める。一方、所定時間内に操作を検出した場合（Ｓ３０：Ｙｅｓ）、
処理をＳ４０に進める。
【００５５】
Ｓ４０では、操作受付部２１０は、第二の操作があったか否かを判定する。具体的には
、操作受付部２１０は、電源スイッチ１２１の押圧とタッチパネル１２２の所定領域の押
圧とが所定時間以上されたかを監視する。電源スイッチ１２１の押圧とタッチパネル１２
２の所定領域の押圧とが所定時間以上検出された場合（Ｓ４０：Ｙｅｓ）、電源スイッチ
１２１の押圧が検出されなくなったのを契機に、処理をＳ５０へ進める。一方、電源スイ
ッチ１２１の押圧が所定時間未満であった場合、又は、上記以外の操作を検出した場合（
Ｓ４０：Ｎｏ）、処理をＳ６０へ進める。
【００５６】
Ｓ５０では、操作受付部２１０は、特殊モードに移行し、特殊モードを印刷制御部２２
０に通知し、本フローを終了する。なお、印刷制御部２２０は、特殊モードに応じた起動
処理を実行する。
【００５７】
Ｓ６０では、操作受付部２１０は、通常モードに移行し、通常モードを印刷制御部２２
０に通知し、本フローを終了する。なお、印刷制御部２２０は、通常モードに応じた起動
処理を実行する。
【００５８】
上述のフローの各処理単位は、プリンター１００の処理を理解容易にするために、主な
処理内容に応じて分割したものである。処理単位の分割の仕方や名称によって、本願発明
が制限されることはない。プリンター１００の処理は、処理内容に応じて、さらに多くの
処理単位に分割することもできる。また、１つの処理単位がさらに多くの処理を含むよう
に分割することもできる。
【００５９】
以上、本発明の第一実施形態について説明した。本実施形態によれば、ユーザーが誤っ
て特殊モードで電子機器を起動するおそれを低下することができる。
【００６０】
なお、上記の本発明の実施形態は、本発明の要旨と範囲を例示することを意図し、限定
するものではない。多くの代替物、修正および変形例が当業者にとって明らかである。
【００６１】
例えば、仮モードを複数の設けるようにしてもよい。このようにすれば、ユーザーが誤
って特殊モードで電子機器を起動するおそれを更に低下することができる。
【符号の説明】
【００６２】
１００：プリンター、１１０：コントローラー、１１１：ＣＰＵ、１１２：ＲＡＭ、１１
３：ＲＯＭ、１２０：操作パネル、１２１：電源スイッチ、１２２：タッチパネル、１２
３：ディスプレイ、１３０：印刷エンジン、１４０：ネットワークＩ／Ｆ、２１０：操作
受付部、２２０：印刷制御部
【図１】
2012084047.tif 000003
【図２】
2012084047.tif 000004
【図３】
2012084047.tif 000005
【図４】
2012084047.tif 000006